(57)【要約】      （修正有）【課題】水銀ブリッジが生じることを抑制できるプロジェクターを提供する。【解決手段】本発明のプロジェクターは、一対の電極９２，９３を有し、光を射出する放電灯と、放電灯に対して送風して放電灯を冷却する冷却部と、冷却部を制御する制御部と、放電灯からの光を画像情報に応じて変調する光変調装置と、光変調装置により変調された光を投射する投射光学系と、を備え、放電灯は、内部に放電空間９１を含む発光部を有し、一対の電極９２，９３は、第１方向において互いに対向して放電空間９１内に配置され、制御部は、放電灯が定常点灯状態にある場合、冷却部の送風方向を、発光部の所定部位に向けて送風する第１送風方向とし、放電灯が消灯した場合、冷却部の送風方向を、所定部位とは異なる発光部の第１方向における端部のうちいずれか一方の端部に向けて送風する第２送風方向とすることを特徴とする。【選択図】図７
2018120046.tif 000002
【特許請求の範囲】
【請求項１】
一対の電極を有し、光を射出する放電灯と、
前記放電灯に対して送風して前記放電灯を冷却する冷却部と、
前記冷却部を制御する制御部と、
前記放電灯からの光を画像情報に応じて変調する光変調装置と、
前記光変調装置により変調された光を投射する投射光学系と、
を備え、
前記放電灯は、内部に放電空間を含む発光部を有し、
前記一対の電極は、第１方向において互いに対向して前記放電空間内に配置され、
前記制御部は、
前記放電灯が定常点灯状態にある場合、前記冷却部の送風方向を、前記発光部の所定
部位に向けて送風する第１送風方向とし、
前記放電灯が消灯した場合、前記冷却部の送風方向を、前記所定部位とは異なる前記
発光部の前記第１方向における端部のうちいずれか一方の端部に向けて送風する第２送風
方向とすることを特徴とするプロジェクター。
【請求項２】
前記冷却部は、送風装置と、前記送風装置の送風方向を変化させる風向変化部と、を有
し、
前記制御部は、前記放電灯が消灯した場合、前記風向変化部によって前記送風装置の送
風方向を前記第１送風方向から前記第２送風方向に変化させる、請求項１に記載のプロジ
ェクター。
【請求項３】
前記冷却部は、送風方向が前記第１送風方向である第１送風装置と、送風方向が前記第
２送風方向である第２送風装置と、を有し、
前記制御部は、前記放電灯が定常点灯状態にある場合、前記第１送風装置によって前記
放電灯を冷却し、前記放電灯が消灯した場合、前記第２送風装置によって前記放電灯を冷
却する、請求項１に記載のプロジェクター。
【請求項４】
前記制御部は、前記放電灯が消灯した場合、前記第１送風装置による送風を停止させ、
前記第２送風装置による送風を開始させる、請求項３に記載のプロジェクター。
【請求項５】
前記放電灯から射出された光を所定方向へ反射する反射鏡をさらに備え、
前記反射鏡は、前記放電灯における前記第１方向の一方側の端部に固定され、
前記第２送風方向は、前記発光部における前記第１方向の他方側の端部に向けて送風す
る方向である、請求項１から４のいずれか一項に記載のプロジェクター。
【請求項６】
前記放電灯から射出された光を所定方向へ反射する反射鏡をさらに備え、
前記反射鏡は、前記放電灯における前記第１方向の一方側の端部に固定され、
前記第２送風方向は、前記発光部における前記第１方向の前記一方側の端部に向けて送
風する方向である、請求項１から４のいずれか一項に記載のプロジェクター。
【請求項７】
前記放電灯が消灯した場合に前記反射鏡を冷却する反射鏡冷却部をさらに備える、請求
項６に記載のプロジェクター。
【請求項８】
前記所定部位は、前記発光部の鉛直方向上側の端部である、請求項１から７のいずれか
一項に記載のプロジェクター。
【請求項９】
一対の電極を有し、光を射出する放電灯と、前記放電灯に対して送風して前記放電灯を
冷却する冷却部と、を備えるプロジェクターの制御方法であって、
前記放電灯は、内部に放電空間を含む発光部を有し、
前記一対の電極は、第１方向において互いに対向して前記放電空間内に配置され、
前記放電灯が定常点灯状態にある場合、前記冷却部の送風方向を、前記発光部の所定部
位に向けて送風する第１送風方向とし、
前記放電灯が消灯した場合、前記冷却部の送風方向を、前記所定部位とは異なる前記発
光部の前記第１方向における端部のうちいずれか一方の端部に向けて送風する第２送風方
向とすることを特徴とするプロジェクターの制御方法。
【発明の詳細な説明】
【技術分野】
【０００１】
本発明は、プロジェクター、およびプロジェクターの制御方法に関する。
【背景技術】
【０００２】
放電灯が消灯すると、放電灯内の温度が低下するため、放電灯内に封入されている水銀
が凝縮して、放電灯の内壁や電極に付着する場合がある。このとき、水銀によって電極同
士が接続される水銀ブリッジが生じる場合があった。水銀ブリッジが生じると、電極間が
短絡するため、放電灯を点灯できなくなる。
【０００３】
これに対して、例えば、特許文献１には、水銀ブリッジの防止を目的として、放電灯が
点灯状態から消灯に移る過渡状態において、電極に供給するランプ電力をアーク放電が消
滅しない程度まで低減させ、発光管部を水銀が凝縮する程度に冷却する方法が記載されて
いる。
【先行技術文献】
【特許文献】
【０００４】
【特許文献１】特許第４０７０４２０号公報
【発明の概要】
【発明が解決しようとする課題】
【０００５】
しかし、上記のような方法においては、発光管部（発光部）内における水銀が凝縮する
位置が不規則であり、水銀が電極先端に付着する場合があった。また、凝縮した水銀が発
光管部内で移動して、電極先端に付着する場合があった。そのため、水銀ブリッジの発生
を十分に抑制できない問題があった。
【０００６】
本発明は、上記問題点に鑑みて成されたものであって、水銀ブリッジが生じることを抑
制できるプロジェクターおよびそのようなプロジェクターの制御方法を提供することを目
的の一つとする。
【課題を解決するための手段】
【０００７】
本発明のプロジェクターの一つの態様は、一対の電極を有し、光を射出する放電灯と、
前記放電灯に対して送風して前記放電灯を冷却する冷却部と、前記冷却部を制御する制御
部と、前記放電灯からの光を画像情報に応じて変調する光変調装置と、前記光変調装置に
より変調された光を投射する投射光学系と、を備え、前記放電灯は、内部に放電空間を含
む発光部を有し、前記一対の電極は、第１方向において互いに対向して前記放電空間内に
配置され、前記制御部は、前記放電灯が定常点灯状態にある場合、前記冷却部の送風方向
を、前記発光部の所定部位に向けて送風する第１送風方向とし、前記放電灯が消灯した場
合、前記冷却部の送風方向を、前記所定部位とは異なる前記発光部の前記第１方向におけ
る端部のうちいずれか一方の端部に向けて送風する第２送風方向とすることを特徴とする
。
【０００８】
本発明のプロジェクターの一つの態様によれば、制御部は、放電灯が消灯した場合の冷
却部の送風方向を発光部の第１方向における端部のうちいずれか一方の端部に向けて送風
する第２送風方向とする。そのため、発光部の第１方向における端部のうちいずれか一方
の端部の温度が、発光部の他の部分よりも早く水銀の凝縮温度以下となりやすい。これに
より、水銀の凝縮する位置が、放電空間内における第１方向の一方の端部側に集中する。
したがって、一対の電極の間を繋ぐ位置に水銀が凝縮しにくく、水銀ブリッジが生じるこ
とを抑制できる。
【０００９】
また、いずれか一方の端部が冷却されることで、当該一方の端部と接続される電極の芯
棒も冷却され、芯棒の温度が水銀の凝縮温度以下となりやすく、水銀が芯棒にも付着する
。そのため、水銀が凝縮した後に、放電空間内を移動することを抑制できる。したがって
、水銀ブリッジが生じることをより抑制できる。
【００１０】
前記冷却部は、送風装置と、前記送風装置の送風方向を変化させる風向変化部と、を有
し、前記制御部は、前記放電灯が消灯した場合、前記風向変化部によって前記送風装置の
送風方向を前記第１送風方向から前記第２送風方向に変化させる構成としてもよい。
この構成によれば、１つの送風装置で、第１送風方向と第２送風方向とに送風方向を切
り換えることができる。したがって、冷却部を構成する部品点数を低減することができる
。
【００１１】
前記冷却部は、送風方向が前記第１送風方向である第１送風装置と、送風方向が前記第
２送風方向である第２送風装置と、を有し、前記制御部は、前記放電灯が定常点灯状態に
ある場合、前記第１送風装置によって前記放電灯を冷却し、前記放電灯が消灯した場合、
前記第２送風装置によって前記放電灯を冷却する構成としてもよい。
この構成によれば、送風方向を変化させる風向変化部を設ける必要がなく、例えば既存
の送風装置のみを用いて冷却部を構成することができる。これにより、冷却部の構成を簡
単にできる。
【００１２】
前記制御部は、前記放電灯が消灯した場合、前記第１送風装置による送風を停止させ、
前記第２送風装置による送風を開始させる構成としてもよい。
この構成によれば、第２送風装置によって発光部の第１方向における端部のうちいずれ
か一方の端部を好適に冷却しやすく、水銀ブリッジが生じることをより抑制できる。また
、第１送風装置を停止させない場合に比べて、プロジェクターの消費電力を低減できる。
【００１３】
前記放電灯から射出された光を所定方向へ反射する反射鏡をさらに備え、前記反射鏡は
、前記放電灯における前記第１方向の一方側の端部に固定され、前記第２送風方向は、前
記発光部における前記第１方向の他方側の端部に向けて送風する方向である構成としても
よい。
【００１４】
例えば、反射鏡は、熱容量が大きく、温度が低下しにくい場合がある。この場合、発光
部における第１方向の一方側の端部の温度が、反射鏡によってある程度維持される。その
ため、発光部における第１方向の一方側の端部の温度は、発光部における第１方向の他方
側の端部の温度よりも低下しにくい場合がある。言い換えれば、発光部における第１方向
の他方側の端部の温度は、発光部における第１方向の一方側の端部の温度よりも低下しや
すい場合がある。
【００１５】
したがって、この構成によれば、放電灯が消灯した場合に、温度が低下しやすい発光部
における第１方向の他方側の端部に向けて送風するため、発光部における第１方向の他方
側の端部の温度を好適に低下させやすい。これにより、発光部の温度を部分的に低下させ
て、より水銀を特定の部位に集めて凝縮させやすい。そのため、水銀ブリッジが生じるこ
とをより抑制できる。
【００１６】
前記放電灯から射出された光を所定方向へ反射する反射鏡をさらに備え、前記反射鏡は
、前記放電灯における前記第１方向の一方側の端部に固定され、前記第２送風方向は、前
記発光部における前記第１方向の前記一方側の端部に向けて送風する方向である構成とし
てもよい。
この構成によれば、例えば、反射鏡を冷却する装置を併用することで、発光部における
第１方向の一方側の端部の温度を好適に低下させることができる。
【００１７】
前記放電灯が消灯した場合に前記反射鏡を冷却する反射鏡冷却部をさらに備える構成と
してもよい。
この構成によれば、反射鏡冷却部によって反射鏡を冷却することで、間接的に冷却部に
よる発光部における第１方向の一方側の端部の冷却を補助することができる。そのため、
冷却部によって発光部における第１方向の一方側の端部を冷却する場合に、水銀ブリッジ
が生じることをより抑制できる。
【００１８】
前記所定部位は、前記発光部の鉛直方向上側の端部である構成としてもよい。
発光部の鉛直方向上側の端部は発光部における最熱部となるため、この構成によれば、
放電灯が定常点灯状態である場合に、放電灯を効率よく冷却することができる。
【００１９】
本発明のプロジェクターの制御方法の一つの態様は、一対の電極を有し、光を射出する
放電灯と、前記放電灯に対して送風して前記放電灯を冷却する冷却部と、を備えるプロジ
ェクターの制御方法であって、前記放電灯は、内部に放電空間を含む発光部を有し、前記
一対の電極は、第１方向において互いに対向して前記放電空間内に配置され、前記放電灯
が定常点灯状態にある場合、前記冷却部の送風方向を、前記発光部の所定部位に向けて送
風する第１送風方向とし、前記放電灯が消灯した場合、前記冷却部の送風方向を、前記所
定部位とは異なる前記発光部の前記第１方向における端部のうちいずれか一方の端部に向
けて送風する第２送風方向とすることを特徴とする。
【００２０】
本発明のプロジェクターの制御方法の一つの態様によれば、上述したのと同様にして、
水銀ブリッジが生じることを抑制できる。
【図面の簡単な説明】
【００２１】
【図１】第１実施形態のプロジェクターの概略構成図である。
【図２】第１実施形態の光源装置を示す図である。
【図３】第１実施形態の放電灯の部分拡大断面図である。
【図４】第１実施形態の放電灯点灯装置および制御部の回路図である。
【図５】第１実施形態の制御部の一構成例を示すブロック図である。
【図６】第１実施形態のプロジェクターの各種構成要素を示すブロック図である。
【図７】第１実施形態における風向変化部によって送風装置の送風方向が変化した状態を示す図である。
【図８】第１実施形態における風向変化部によって送風装置の送風方向が変化した状態を示す図である。
【図９】第１実施形態における冷却部の送風方向を消灯時送風方向とした場合の放電灯の消灯後の状態を示す図である。
【図１０】第１実施形態の他の一例である光源装置を示す図である。
【図１１】第２実施形態の光源装置を示す図である。
【図１２】第３実施形態の光源装置を示す図である。
【図１３】比較例における放電灯の消灯後の状態を示す図である。
【発明を実施するための形態】
【００２２】
以下、図面を参照しながら、本発明の実施形態に係るプロジェクターについて説明する
。なお、本発明の範囲は、以下の実施の形態に限定されるものではなく、本発明の技術的
思想の範囲内で任意に変更可能である。また、以下の図面においては、各構成をわかりや
すくするために、実際の構造と各構造における縮尺や数等を異ならせる場合がある。
【００２３】
また、適宜図面においては、適宜３次元直交座標系としてＸＹＺ座標系を示す。ＸＹＺ
座標系において、Ｚ軸方向は、鉛直方向とする。Ｙ軸方向およびＸ軸方向は、Ｚ軸方向と
直交する水平方向であり、互いに直交する方向とする。以下の説明においては、Ｚ軸方向
と平行な方向を「鉛直方向Ｚ」と呼ぶ場合があり、Ｘ軸方向と平行な方向を「前後方向Ｘ
」と呼ぶ場合がある。また、以下の説明においては、Ｚ軸方向の正の側（＋Ｚ側）を鉛直
方向上側とし、Ｚ軸方向の負の側（−Ｚ側）を鉛直方向下側とする。Ｘ軸方向の正の側（
＋Ｘ側）を前側とし、Ｘ軸方向の負の側（−Ｘ側）を後側とする。なお、前後方向、前側
および後側とは、単に各部の相対位置関係を説明するための名称であり、実際の配置関係
等はこれらの名称で示される配置関係等以外の配置関係等であってもよい。
【００２４】
＜第１実施形態＞
図１は、本実施形態のプロジェクター５００の概略構成図である。図１に示すように、
本実施形態のプロジェクター５００は、光源装置２００と、平行化レンズ３０５と、照明
光学系３１０と、色分離光学系３２０と、３つの液晶ライトバルブ（光変調装置）３３０
Ｒ，３３０Ｇ，３３０Ｂと、クロスダイクロイックプリズム３４０と、投射光学系３６０
と、入力部４５と、を備える。
【００２５】
光源装置２００から射出された光は、平行化レンズ３０５を通過して照明光学系３１０
に入射する。平行化レンズ３０５は、光源装置２００からの光を平行化する。
【００２６】
照明光学系３１０は、光源装置２００から射出される光の照度を、液晶ライトバルブ３
３０Ｒ，３３０Ｇ，３３０Ｂ上において均一化するように調整する。さらに、照明光学系
３１０は、光源装置２００から射出される光の偏光方向を一方向に揃える。その理由は、
光源装置２００から射出される光を液晶ライトバルブ３３０Ｒ，３３０Ｇ，３３０Ｂで有
効に利用するためである。
【００２７】
照度分布と偏光方向とが調整された光は、色分離光学系３２０に入射する。色分離光学
系３２０は、入射光を赤色光（Ｒ）、緑色光（Ｇ）、青色光（Ｂ）の３つの色光に分離す
る。３つの色光は、各色光に対応付けられた液晶ライトバルブ３３０Ｒ，３３０Ｇ，３３
０Ｂにより、映像信号（画像情報）に応じてそれぞれ変調される。すなわち、液晶ライト
バルブ３３０Ｒ，３３０Ｇ，３３０Ｂは、放電灯９０から射出される光を画像情報に応じ
て変調する。液晶ライトバルブ３３０Ｒ，３３０Ｇ，３３０Ｂは、後述する液晶パネル５
６０Ｒ，５６０Ｇ，５６０Ｂと、偏光板（図示せず）と、を有する。偏光板は、液晶パネ
ル５６０Ｒ，５６０Ｇ，５６０Ｂのそれぞれの光入射側および光射出側に配置される。
【００２８】
変調された３つの色光は、クロスダイクロイックプリズム３４０により合成される。合
成光は投射光学系３６０に入射する。投射光学系３６０は、入射光をスクリーン７００（
図６参照）に投射する。すなわち、投射光学系３６０は、液晶ライトバルブ３３０Ｒ，３
３０Ｇ，３３０Ｂにより変調された光を投射する。これにより、スクリーン７００上に映
像が表示される。なお、平行化レンズ３０５、照明光学系３１０、色分離光学系３２０、
クロスダイクロイックプリズム３４０、投射光学系３６０の各々の構成としては、周知の
構成を採用することができる。
【００２９】
光源装置２００は、光源ユニット２１０と、放電灯点灯装置１０と、制御部４０と、冷
却部５０と、を有する。
図２は、光源装置２００を示す図である。図２には、光源ユニット２１０の断面図が示
されている。図２においては、制御部４０の図示を省略している。また、図２においては
、放電灯９０が定常点灯している状態を示している。本実施形態において、放電灯９０の
定常点灯とは、予め設定された駆動電力が放電灯９０に供給されて放電灯９０が点灯して
いる状態を示す。
【００３０】
光源ユニット２１０は、図２に示すように、放電灯９０と、反射鏡１１２と、を有する
。放電灯９０は、光を射出する。放電灯点灯装置１０は、放電灯９０に駆動電流Ｉを供給
して放電灯９０を点灯させる。反射鏡１１２は、放電灯９０から射出された光を照射方向
（所定方向）Ｄへ反射する。照射方向Ｄは、放電灯９０の光軸ＡＸと平行である。また、
照射方向Ｄは、前後方向Ｘと平行な方向であり、後側（−Ｘ側）から前側（＋Ｘ側）に向
かう方向である。
【００３１】
放電灯９０は、放電灯本体９０ａと、一対の電極としての第１電極９２および第２電極
９３と、を有する。放電灯本体９０ａの形状は、前後方向Ｘに沿って延びる棒状である。
放電灯本体９０ａの一方の端部、すなわち、放電灯９０の一方の端部を第１端部９０ｅ１
とする。放電灯本体９０ａの他方の端部、すなわち、放電灯９０の他方の端部を第２端部
９０ｅ２とする。第１端部９０ｅ１は、放電灯９０における前後方向Ｘの後側（一方側，
−Ｘ側）の端部であり、第２端部９０ｅ２は、放電灯９０における前後方向Ｘの前側（他
方側，＋Ｘ側）の端部である。放電灯本体９０ａの材料は、例えば、石英ガラス等の透光
性材料である。
【００３２】
放電灯本体９０ａは、内部に放電空間９１を含む発光部５１０と、発光部５１０の前後
方向Ｘの両端部に設けられた封止部５５１，５５２と、を有する。発光部５１０は、放電
灯本体９０ａの前後方向Ｘの中央部であり、球状に膨らんでいる。発光部５１０の内部は
放電空間９１である。放電空間９１には、水銀Ｈｇ、希ガス、金属ハロゲン化合物等を含
む放電媒体であるガスが封入されている。封止部５５１，５５２は、発光部５１０から前
後方向Ｘに延びる棒状である。封止部５５１，５５２は、放電空間９１を封止する。封止
部５５１は、第１端部９０ｅ１を有する。封止部５５２は、第２端部９０ｅ２を有する。
【００３３】
放電空間９１には、第１電極９２および第２電極９３の先端が突出している。一対の電
極である第１電極９２および第２電極９３は、前後方向Ｘにおいて互いに対向して放電空
間９１内に配置されている。すなわち、本実施形態において前後方向Ｘは、第１方向に相
当する。第１電極９２は、放電空間９１の第１端部９０ｅ１側（後側，−Ｘ側）に配置さ
れている。第２電極９３は、放電空間９１の第２端部９０ｅ２側（前側，＋Ｘ側）に配置
されている。第１電極９２および第２電極９３の形状は、光軸ＡＸに沿って延びる棒状で
ある。放電空間９１には、第１電極９２および第２電極９３の電極先端部が、所定距離だ
け離れて対向するように配置されている。第１電極９２および第２電極９３の材料は、例
えば、タングステン等の金属である。第１電極９２の基端部は、封止部５５１に保持され
ている。第２電極９３の基端部は、封止部５５２に保持されている。
【００３４】
図３は、放電灯９０の部分を示す拡大断面図である。
発光部５１０は、図３に示すように、放電空間９１を囲む内壁である第１壁部５１０ａ
〜第４壁部５１０ｄを有する。第１壁部５１０ａおよび第２壁部５１０ｂは、放電空間９
１に対して、第１電極９２および第２電極９３が互いに対向して並ぶ前後方向Ｘと直交す
る方向（図３では鉛直方向Ｚ）の両端側に位置する壁部である。図３では、第１壁部５１
０ａは、放電空間９１の上端側に位置する壁部であり、第２壁部５１０ｂは、放電空間９
１の下端側に位置する壁部である。本実施形態において第１壁部５１０ａは、発光部５１
０の鉛直方向上側の端部に相当し、第２壁部５１０ｂは、発光部５１０の鉛直方向下側の
端部に相当する。
【００３５】
第３壁部５１０ｃおよび第４壁部５１０ｄは、放電空間９１に対して、第１電極９２お
よび第２電極９３が互いに対向して並ぶ前後方向Ｘの両端側に配置される壁部である。図
３では、第３壁部５１０ｃは、放電空間９１の第１電極９２側（後側，−Ｘ側）に位置す
る壁部であり、第４壁部５１０ｄは、放電空間９１の第２電極９３側（前側，＋Ｘ側）に
位置する壁部である。第３壁部５１０ｃおよび第４壁部５１０ｄは、発光部５１０の前後
方向Ｘにおける端部である。
【００３６】
第３壁部５１０ｃは、例えば、領域Ｓ１に含まれる発光部５１０の部分を含む。領域Ｓ
１は、第１電極９２と第２電極９３とが互いに対向して並ぶ方向（本実施形態では前後方
向Ｘ）の位置が、後述する本体部５３１とコイル部５３２との接続部の前後方向位置から
、発光部５１０と封止部５５１との接続部の前後方向位置までの間となる領域である。
【００３７】
第４壁部５１０ｄは、例えば、領域Ｓ２に含まれる発光部５１０の部分を含む。領域Ｓ
２は、第１電極９２と第２電極９３とが互いに対向して並ぶ方向（本実施形態では前後方
向Ｘ）の位置が、後述するコイル部５４２と本体部５４１との接続部の前後方向位置から
、発光部５１０と封止部５５２との接続部の前後方向位置までの間となる領域である。
【００３８】
第１電極９２は、芯棒５３３と、コイル部５３２と、本体部５３１と、突起５３１ｐと
、を有する。第１電極９２は、放電灯本体９０ａへの封入前の段階において、芯棒５３３
に電極材（タングステン等）の線材を巻き付けてコイル部５３２を形成し、形成されたコ
イル部５３２を加熱・溶融することにより形成される。これにより、第１電極９２の先端
側には、熱容量が大きい本体部５３１と、アークＡＲの発生位置となる突起５３１ｐが形
成される。
【００３９】
第２電極９３は、芯棒５４３と、コイル部５４２と、本体部５４１と、突起５４１ｐと
、を有する。第２電極９３は、第１電極９２と同様にして形成される。
なお、第１電極９２と第２電極９３とは、同様の構成であるため、以下の説明において
は、代表して第１電極９２についてのみ説明する場合がある。また、第１電極９２の先端
の突起５３１ｐと第２電極９３の先端の突起５４１ｐとは、同様の構成であるため、以下
の説明においては、代表して突起５３１ｐについてのみ説明する場合がある。
【００４０】
図２に示すように、放電灯９０の第１端部９０ｅ１には、第１端子５３６が設けられて
いる。第１端子５３６と第１電極９２とは、放電灯９０の内部を貫通する導電性部材５３
４により電気的に接続されている。同様に、放電灯９０の第２端部９０ｅ２には、第２端
子５４６が設けられている。第２端子５４６と第２電極９３とは、放電灯９０の内部を貫
通する導電性部材５４４により電気的に接続されている。第１端子５３６および第２端子
５４６の材料は、例えば、タングステン等の金属である。導電性部材５３４，５４４の材
料としては、例えば、モリブデン箔が利用される。
【００４１】
第１端子５３６および第２端子５４６は、放電灯点灯装置１０に接続されている。放電
灯点灯装置１０は、第１端子５３６および第２端子５４６に、放電灯９０を駆動するため
の駆動電力を供給する。その結果、第１電極９２および第２電極９３の間でアーク放電が
起きる。アーク放電により発生した光（放電光）は、破線の矢印で示すように、放電位置
から全方向に向かって放射される。
【００４２】
図３に示すように、放電灯９０を点灯すると、放電空間９１内に封入されたガスは、ア
ークＡＲの発生により加熱され、放電空間９１内において対流する。詳細には、アークＡ
Ｒおよびその付近の領域は極めて高温となるため、放電空間９１内において、アークＡＲ
から鉛直方向上側に流れる対流ＡＦ（図３に一点鎖線の矢印で示す）が形成される。対流
ＡＦは、発光部５１０の第１壁部５１０ａに当たって、発光部５１０の第１壁部５１０ａ
から第３壁部５１０ｃおよび第４壁部５１０ｄに沿って移動し、第１電極９２および第２
電極９３の芯棒５３３，５４３等を通過することによって冷却されつつ降下する。
【００４３】
降下した対流ＡＦは、発光部５１０の第３壁部５１０ｃおよび第４壁部５１０ｄに沿っ
てさらに降下するが、アークＡＲの鉛直方向下側で互いに衝突して上方のアークＡＲに戻
されるように上昇する。対流ＡＦが、発光部５１０の内壁（第１壁部５１０ａ〜第４壁部
５１０ｄ）に沿って移動することによって、発光部５１０は加熱される。ここで、対流Ａ
Ｆは、アークＡＲの鉛直方向上側において最も温度が高く、アークＡＲの鉛直方向下側に
おいて最も温度が低い。そのため、アークＡＲの鉛直方向上側において対流ＡＦと接触す
る発光部５１０の壁部が、放電灯本体９０ａ（放電灯９０）において最も高温となる最熱
部となる。また、アークＡＲの鉛直方向下側において対流ＡＦと接触する発光部５１０の
壁部が、放電灯本体９０ａ（放電灯９０）において最も低温となる最冷部となる。
【００４４】
図３の例では、第１壁部５１０ａがアークＡＲの鉛直方向上側に位置するため、第１壁
部５１０ａが最も高温となる最熱部となる。一方、第２壁部５１０ｂがアークＡＲの鉛直
方向下側に位置するため、第２壁部５１０ｂが最も低温となる最冷部となる。
【００４５】
反射鏡１１２は、図２に示すように、固定部材１１４により、放電灯９０の第１端部９
０ｅ１に固定されている。反射鏡１１２は、放電光のうち、照射方向Ｄと反対側（後側，
−Ｘ側）に向かって進む光を照射方向Ｄ（前側，＋Ｘ側）に向かって反射する。反射鏡１
１２の反射面１１２ａ（放電灯９０側の面）の形状は、放電光を照射方向Ｄに向かって反
射できる範囲内において、特に限定されず、例えば、回転楕円形状であっても、回転放物
線形状であってもよい。例えば、反射鏡１１２の反射面１１２ａの形状を回転放物線形状
とした場合、反射鏡１１２は、放電光を光軸ＡＸに略平行な光に変換することができる。
これにより、平行化レンズ３０５を省略することができる。
【００４６】
固定部材１１４の材料は、放電灯９０からの発熱に耐え得る耐熱材料である範囲内にお
いて、特に限定されず、例えば、無機接着剤である。
【００４７】
図４は、放電灯点灯装置１０および制御部４０の回路構成の一例を示す図である。
放電灯点灯装置１０は、図４に示すように、電力制御回路２０と、極性反転回路３０と
、動作検出部６０と、イグナイター回路７０と、を有する。
【００４８】
電力制御回路２０は、放電灯９０に供給する駆動電力を生成する。本実施形態において
は、電力制御回路２０は、直流電源装置８０からの電圧を入力とし、入力電圧を降圧して
直流電流Ｉｄを出力するダウンチョッパー回路で構成されている。
【００４９】
電力制御回路２０は、スイッチ素子２１、ダイオード２２、コイル２３およびコンデン
サー２４を含んで構成される。スイッチ素子２１は、例えば、トランジスターで構成され
る。本実施形態においては、スイッチ素子２１の一端は直流電源装置８０の正電圧側に接
続され、他端はダイオード２２のカソード端子およびコイル２３の一端に接続されている
。
【００５０】
コイル２３の他端にコンデンサー２４の一端が接続され、コンデンサー２４の他端はダ
イオード２２のアノード端子および直流電源装置８０の負電圧側に接続されている。スイ
ッチ素子２１の制御端子には、制御部４０から電流制御信号が入力されてスイッチ素子２
１のＯＮ／ＯＦＦが制御される。電流制御信号には、例えば、ＰＷＭ（Ｐｕｌｓｅ  Ｗｉ
ｄｔｈ  Ｍｏｄｕｌａｔｉｏｎ）制御信号が用いられてもよい。
【００５１】
スイッチ素子２１がＯＮすると、コイル２３に電流が流れ、コイル２３にエネルギーが
蓄えられる。その後、スイッチ素子２１がＯＦＦすると、コイル２３に蓄えられたエネル
ギーがコンデンサー２４とダイオード２２とを通る経路で放出される。その結果、スイッ
チ素子２１がＯＮする時間の割合に応じた直流電流Ｉｄが発生する。
【００５２】
極性反転回路３０は、電力制御回路２０から入力される直流電流Ｉｄを所定のタイミン
グで極性反転させる。これにより、極性反転回路３０は、制御された時間だけ継続する直
流である駆動電流Ｉ、もしくは、任意の周波数を持つ交流である駆動電流Ｉを生成し、出
力する。本実施形態において、極性反転回路３０は、インバーターブリッジ回路（フルブ
リッジ回路）で構成されている。
【００５３】
極性反転回路３０は、例えば、トランジスターなどで構成される第１のスイッチ素子３
１、第２のスイッチ素子３２、第３のスイッチ素子３３、および第４のスイッチ素子３４
を含んでいる。極性反転回路３０は、直列接続された第１のスイッチ素子３１および第２
のスイッチ素子３２と、直列接続された第３のスイッチ素子３３および第４のスイッチ素
子３４と、が互いに並列接続された構成を有する。第１のスイッチ素子３１、第２のスイ
ッチ素子３２、第３のスイッチ素子３３、および第４のスイッチ素子３４の制御端子には
、それぞれ制御部４０から極性反転制御信号が入力される。この極性反転制御信号に基づ
いて、第１のスイッチ素子３１、第２のスイッチ素子３２、第３のスイッチ素子３３およ
び第４のスイッチ素子３４のＯＮ／ＯＦＦ動作が制御される。
【００５４】
極性反転回路３０においては、第１のスイッチ素子３１および第４のスイッチ素子３４
と、第２のスイッチ素子３２および第３のスイッチ素子３３と、を交互にＯＮ／ＯＦＦさ
せる動作が繰り返される。これにより、電力制御回路２０から出力される直流電流Ｉｄの
極性が交互に反転する。極性反転回路３０は、第１のスイッチ素子３１と第２のスイッチ
素子３２との共通接続点、および第３のスイッチ素子３３と第４のスイッチ素子３４との
共通接続点から、制御された時間だけ同一極性状態を継続する直流である駆動電流Ｉ、も
しくは制御された周波数をもつ交流である駆動電流Ｉを生成し、出力する。
【００５５】
すなわち、極性反転回路３０は、第１のスイッチ素子３１および第４のスイッチ素子３
４がＯＮのときには第２のスイッチ素子３２および第３のスイッチ素子３３がＯＦＦであ
り、第１のスイッチ素子３１および第４のスイッチ素子３４がＯＦＦのときには第２のス
イッチ素子３２および第３のスイッチ素子３３がＯＮであるように制御される。したがっ
て、第１のスイッチ素子３１および第４のスイッチ素子３４がＯＮのときには、コンデン
サー２４の一端から第１のスイッチ素子３１、放電灯９０、第４のスイッチ素子３４の順
に流れる駆動電流Ｉが発生する。第２のスイッチ素子３２および第３のスイッチ素子３３
がＯＮのときには、コンデンサー２４の一端から第３のスイッチ素子３３、放電灯９０、
第２のスイッチ素子３２の順に流れる駆動電流Ｉが発生する。
【００５６】
本実施形態において、電力制御回路２０と極性反転回路３０とを合わせた部分が放電灯
駆動部２３０に対応する。すなわち、放電灯駆動部２３０は、放電灯９０を駆動する駆動
電流Ｉを放電灯９０に供給する。
【００５７】
動作検出部６０は、放電灯９０のランプ電圧を検出して制御部４０にランプ電圧情報を
出力する電圧検出部を含む。また、動作検出部６０は、駆動電流Ｉを検出して制御部４０
に駆動電流情報を出力する電流検出部などを含む。本実施形態においては、動作検出部６
０は、第１の抵抗６１、第２の抵抗６２および第３の抵抗６３を含んで構成されている。
【００５８】
本実施形態において、動作検出部６０の電圧検出部は、放電灯９０と並列に、互いに直
列接続された第１の抵抗６１および第２の抵抗６２で分圧した電圧によりランプ電圧を検
出する。また、本実施形態において、電流検出部は、放電灯９０に直列に接続された第３
の抵抗６３に発生する電圧により駆動電流Ｉを検出する。
【００５９】
イグナイター回路７０は、放電灯９０の点灯開始時にのみ動作する。イグナイター回路
７０は、放電灯９０の点灯開始時に放電灯９０の電極間（第１電極９２と第２電極９３と
の間）を絶縁破壊して放電路を形成するために必要な高電圧（放電灯９０の通常点灯時よ
りも高い電圧）を、放電灯９０の電極間（第１電極９２と第２電極９３との間）に供給す
る。本実施形態においては、イグナイター回路７０は、放電灯９０と並列に接続されてい
る。
【００６０】
制御部４０は、プロジェクター５００の動作開始から動作停止に至るまでの各種の動作
を制御する。制御部４０は、駆動電流Ｉの駆動電流波形に従って放電灯駆動部２３０を制
御する。また、制御部４０は、冷却部５０を制御する。図４の例では、制御部４０は、電
力制御回路２０および極性反転回路３０を制御することにより、駆動電流Ｉが同一極性を
継続する保持時間、駆動電流Ｉの電流値、周波数等のパラメーターを制御する。制御部４
０は、極性反転回路３０に対して、駆動電流Ｉの極性反転タイミングにより、駆動電流Ｉ
が同一極性で継続する保持時間、駆動電流Ｉの周波数等を制御する極性反転制御を行う。
制御部４０は、電力制御回路２０に対して、出力される直流電流Ｉｄの電流値を制御する
電流制御を行う。
【００６１】
制御部４０の構成は、特に限定されない。本実施形態においては、制御部４０は、シス
テムコントローラー４１、電力制御回路コントローラー４２、および極性反転回路コント
ローラー４３を含んで構成されている。なお、制御部４０は、その一部または全てを半導
体集積回路で構成してもよい。
【００６２】
システムコントローラー４１は、電力制御回路コントローラー４２および極性反転回路
コントローラー４３を制御することにより、電力制御回路２０および極性反転回路３０を
制御する。システムコントローラー４１は、動作検出部６０が検出したランプ電圧および
駆動電流Ｉに基づき、電力制御回路コントローラー４２および極性反転回路コントローラ
ー４３を制御してもよい。
【００６３】
本実施形態においては、システムコントローラー４１には、記憶部４４が接続されてい
る。
システムコントローラー４１は、記憶部４４に格納された情報に基づき、電力制御回路
２０および極性反転回路３０を制御してもよい。記憶部４４には、例えば、駆動電流Ｉが
同一極性で継続する保持時間、駆動電流Ｉの電流値、周波数、波形、変調パターン等の駆
動パラメーターに関する情報が格納されていてもよい。
【００６４】
電力制御回路コントローラー４２は、システムコントローラー４１からの制御信号に基
づき、電力制御回路２０へ電流制御信号を出力することにより、電力制御回路２０を制御
する。
【００６５】
極性反転回路コントローラー４３は、システムコントローラー４１からの制御信号に基
づき、極性反転回路３０へ極性反転制御信号を出力することにより、極性反転回路３０を
制御する。
【００６６】
制御部４０は、専用回路を用いて実現され、上述した制御や後述する処理の各種制御を
行うようにすることができる。これに対して、制御部４０は、例えば、記憶部４４に記憶
された制御プログラムを実行することによりコンピューターとして機能し、これらの処理
の各種制御を行うようにすることもできる。
【００６７】
図５は、制御部４０の他の構成例について説明するための図である。図５に示すように
、制御部４０は、制御プログラムにより、電力制御回路２０を制御する電流制御手段４０
−１、極性反転回路３０を制御する極性反転制御手段４０−２として機能するように構成
されてもよい。
【００６８】
図１に示す冷却部５０は、放電灯９０に対して冷却空気を送風して放電灯９０を冷却す
る。本実施形態において冷却部５０は、冷却空気の送風方向を変化させることができ、放
電灯９０における異なる複数の部位に向けて送風することが可能である。冷却部５０の詳
細については、後述する。
【００６９】
入力部４５は、使用者による所定の操作を受け付ける部分である。入力部４５は、例え
ば、プロジェクター５００の電源のＯＮ／ＯＦＦ、点灯モードの変更等の使用者による操
作を受け付ける。本実施形態において入力部４５は、制御部４０に接続されている。使用
者の操作を受け付けた場合、入力部４５は、制御部４０に、操作に応じた操作信号を出力
する。
【００７０】
入力部４５が操作を受け付ける方法は、特に限定されない。入力部４５は、例えば、プ
ロジェクター５００の筐体に取り付けられた各種ボタンが押されることによって操作を受
け付けてもよいし、プロジェクター５００のリモートコントローラーから送られる信号に
よって操作を受け付けてもよい。
【００７１】
以下、プロジェクター５００の回路構成について説明する。
図６は、本実施形態のプロジェクター５００の回路構成の一例を示す図である。プロジ
ェクター５００は、図１に示した構成の他、図６に示すように、画像信号変換部５０１と
、直流電源装置８０と、液晶パネル５６０Ｒ，５６０Ｇ，５６０Ｂと、画像処理装置５７
０と、を備える。
【００７２】
画像信号変換部５０１は、外部から入力された画像信号５０２（輝度−色差信号やアナ
ログＲＧＢ信号など）を所定のワード長のデジタルＲＧＢ信号に変換して画像信号５１２
Ｒ，５１２Ｇ，５１２Ｂを生成し、画像処理装置５７０に供給する。
【００７３】
画像処理装置５７０は、３つの画像信号５１２Ｒ，５１２Ｇ，５１２Ｂに対してそれぞ
れ画像処理を行う。画像処理装置５７０は、液晶パネル５６０Ｒ，５６０Ｇ，５６０Ｂを
それぞれ駆動するための駆動信号５７２Ｒ，５７２Ｇ，５７２Ｂを液晶パネル５６０Ｒ，
５６０Ｇ，５６０Ｂに供給する。
【００７４】
直流電源装置８０は、外部の交流電源６００から供給される交流電圧を一定の直流電圧
に変換する。直流電源装置８０は、トランス（図示しないが、直流電源装置８０に含まれ
る）の２次側にある画像信号変換部５０１、画像処理装置５７０およびトランスの１次側
にある放電灯点灯装置１０に直流電圧を供給する。
【００７５】
放電灯点灯装置１０は、起動時に放電灯９０の電極間に高電圧を発生し、絶縁破壊を生
じさせて放電路を形成する。以後、放電灯点灯装置１０は、放電灯９０が放電を維持する
ための駆動電流Ｉを供給する。
【００７６】
液晶パネル５６０Ｒ，５６０Ｇ，５６０Ｂは、前述した液晶ライトバルブ３３０Ｒ，３
３０Ｇ，３３０Ｂにそれぞれ設けられている。液晶パネル５６０Ｒ，５６０Ｇ，５６０Ｂ
は、それぞれ駆動信号５７２Ｒ，５７２Ｇ，５７２Ｂに基づいて、前述した光学系を介し
て各液晶パネル５６０Ｒ，５６０Ｇ，５６０Ｂに入射される色光の透過率（輝度）を変調
する。
【００７７】
次に、冷却部５０について詳細に説明する。図２に示すように、本実施形態において冷
却部５０は、送風装置５１と、風向変化部５３，５４と、を有する。
送風装置５１は、発光部５１０の鉛直方向上側斜め前方に配置されている。送風装置５
１は、例えば、シロッコファンである。送風装置５１は、放電灯９０の鉛直方向上側の端
部である第１壁部５１０ａに向かって延びる筒状の送風ノズル５１ａを有する。送風ノズ
ル５１ａの先端は、開口する送風口５１ｂである。本実施形態において送風ノズル５１ａ
は、送風装置５１の本体部から鉛直方向下側斜め後方に延びている。送風装置５１は、プ
ロジェクター５００の筐体内外の冷却空気を吸引して、送風口５１ｂを介して風を排出す
る。これにより、送風装置５１は、冷却空気を放電灯９０に送風する。
【００７８】
風向変化部５３，５４は、送風ノズル５１ａの前後方向Ｘの両側にそれぞれ設けられた
シャッターである。風向変化部５３は、送風ノズル５１ａの後側（−Ｘ側）に設けられて
いる。風向変化部５４は、送風ノズル５１ａの前側（＋Ｘ側）に設けられている。風向変
化部５３，５４は、鉛直方向上側から鉛直方向下側に向かうに従って後側に位置する向き
に傾いて延びている。風向変化部５３の鉛直方向Ｚに対する傾きは、送風ノズル５１ａの
鉛直方向Ｚに対する傾きよりも小さい。風向変化部５４の鉛直方向Ｚに対する傾きは、送
風ノズル５１ａの鉛直方向Ｚに対する傾きよりも大きい。
【００７９】
風向変化部５３，５４は、各風向変化部５３，５４の延伸方向に沿って移動可能に設け
られている。風向変化部５３，５４が移動することによって、送風口５１ｂから排出され
る風の流れが変化し、送風装置５１（冷却部５０）の送風方向が変化する。図２では、風
向変化部５３，５４の両方が、送風口５１ｂよりも送風ノズル５１ａの基端側に配置され
た状態である。この状態においては、風向変化部５３，５４は、送風口５１ｂから排出さ
れる風と接触せず、送風装置５１の送風方向を変化させない。風向変化部５３，５４によ
って送風方向が変化しない状態において、送風装置５１の送風方向は、発光部５１０の第
１壁部５１０ａに向けて送風する定常送風方向（第１送風方向）ＢＤ１である。ここで、
本実施形態において第１壁部５１０ａは、所定部位に相当する。
【００８０】
図７は、風向変化部５３によって送風装置５１の送風方向が変化した状態を示す図であ
る。図８は、風向変化部５４によって送風装置５１の送風方向が変化した状態を示す図で
ある。図７および図８においては、放電灯９０が消灯した場合を示している。なお、図７
および図８においては、制御部４０の図示を省略している。
【００８１】
図７に示すように、風向変化部５３が、延伸方向に沿って鉛直方向下側斜め後方に移動
して、送風口５１ｂの延長線上の一部を覆うことで、送風口５１ｂから排出される風の一
部が風向変化部５３に接触する。これにより、送風装置５１の送風方向を風向変化部５３
の延伸方向に沿った方向に変化させることができる。本実施形態では、風向変化部５３に
よって変化させられる送風装置５１の送風方向は、第４壁部５１０ｄに向けて送風する消
灯時送風方向（第２送風方向）ＢＤ２である。消灯時送風方向ＢＤ２は、定常送風方向Ｂ
Ｄ１よりも鉛直方向Ｚに対する傾きが小さい方向である。
【００８２】
図８に示すように、風向変化部５４が、延伸方向に沿って鉛直方向下側斜め後方に移動
して、送風口５１ｂの延長線上の一部を覆うことで、送風口５１ｂから排出される風の一
部が風向変化部５４に接触する。これにより、送風装置５１の送風方向を風向変化部５４
の延伸方向に沿った方向に変化させることができる。本実施形態では、風向変化部５４に
よって変化させられる送風装置５１の送風方向は、第３壁部５１０ｃに向けて送風する消
灯時送風方向（第２送風方向）ＢＤ３である。消灯時送風方向ＢＤ３は、定常送風方向Ｂ
Ｄ１よりも鉛直方向Ｚに対する傾きが大きい方向である。
【００８３】
以上のようにして、風向変化部５３，５４は、送風装置５１の送風方向を変化させる。
なお、本実施形態において第３壁部５１０ｃおよび第４壁部５１０ｄは、所定部位として
の第１壁部５１０ａとは異なる発光部５１０の前後方向Ｘにおける端部のうちいずれか一
方の端部に相当する。
【００８４】
制御部４０は、図２に示すように、放電灯９０が定常点灯状態にある場合、送風装置５
１（冷却部５０）の送風方向を、定常送風方向ＢＤ１とする。すなわち、制御部４０は、
第１壁部５１０ａに向けて送風するように冷却部５０を制御する。これにより、放電灯９
０の温度が過度に上昇することを抑制できる。
【００８５】
制御部４０は、放電灯９０が消灯した後も、冷却部５０によって所定時間、放電灯９０
を冷却する。制御部４０は、図７および図８に示すように、放電灯９０が消灯した場合、
送風装置５１（冷却部５０）の送風方向を、消灯時送風方向ＢＤ２と消灯時送風方向ＢＤ
３とのうちのいずれか一方の送風方向とする。すなわち、制御部４０は、第３壁部５１０
ｃと第４壁部５１０ｄとのうちのいずれか一方に向けて送風するように冷却部５０を制御
する。より詳細には、本実施形態において、制御部４０は、放電灯９０が消灯した場合、
風向変化部５３あるいは風向変化部５４を移動させて、送風装置５１の送風方向を定常送
風方向ＢＤ１から消灯時送風方向ＢＤ２あるいは消灯時送風方向ＢＤ３に変化させる。
【００８６】
本実施形態において放電灯９０が消灯した場合の冷却部５０の送風方向は、例えば、消
灯時送風方向ＢＤ２と消灯時送風方向ＢＤ３とのうちのいずれか一方に予め設定されてお
り、記憶部４４に格納されている。制御部４０は、放電灯９０が消灯した場合に、記憶部
４４を参照して、冷却部５０の送風方向を消灯時送風方向ＢＤ２と消灯時送風方向ＢＤ３
とのうちのいずれにするか決定する。
【００８７】
制御部４０は、例えば、使用者が入力部４５に対して行ったプロジェクター５００の電
源をＯＦＦにする操作に基づいて、冷却部５０の送風方向を制御する。制御部４０は、入
力部４５にプロジェクター５００の電源をＯＦＦにする操作が行われることで、放電灯９
０の消灯動作を開始するとともに、冷却部５０の送風方向を変化させる準備を行う。そし
て、制御部４０は、冷却部５０の送風方向を変化させる。
【００８８】
放電灯９０の消灯後において冷却部５０によって放電灯９０を冷却する所定時間は、例
えば、発光部５１０が冷却されて放電空間９１内の水銀Ｈｇが凝縮するまでの時間以上と
することができる。なお、放電灯９０の消灯後において冷却部５０によって放電灯９０を
冷却する所定時間は、放電空間９１内の水銀Ｈｇが凝縮するまでの時間よりも短くてもよ
い。
【００８９】
上述した制御を行う制御部４０を備えるプロジェクター５００は、プロジェクターの制
御方法としても表現できる。すなわち、本実施形態のプロジェクターの制御方法の一つの
態様は、一対の電極として第１電極９２および第２電極９３を有し、光を射出する放電灯
９０と、放電灯９０に対して送風して放電灯９０を冷却する冷却部５０と、を備えるプロ
ジェクター５００の制御方法であって、放電灯９０は、内部に放電空間９１を含む発光部
５１０を有し、第１電極９２および第２電極９３は、前後方向Ｘにおいて互いに対向して
放電空間９１内に配置され、放電灯９０が定常点灯状態にある場合、冷却部５０の送風方
向を、発光部５１０の第１壁部５１０ａに向けて送風する定常送風方向ＢＤ１とし、放電
灯９０が消灯した場合、冷却部５０の送風方向を、第１壁部５１０ａとは異なる発光部５
１０の前後方向Ｘにおける端部のうちいずれか一方の端部に向けて送風する消灯時送風方
向ＢＤ２，ＢＤ３とすることを特徴とする。
【００９０】
本実施形態によれば、制御部４０は、放電灯９０が消灯した場合に、冷却部５０の送風
方向を発光部５１０の前後方向Ｘにおける端部のうちいずれか一方の端部に向けて送風す
る消灯時送風方向とするため、水銀ブリッジが生じることを抑制することができる。以下
、詳細に説明する。
【００９１】
図１３は、比較例における放電灯９０の消灯後の状態を示す図である。比較例において
は、放電灯９０が消灯した場合、冷却部５０による放電灯９０の冷却を中止する、あるい
は、冷却部５０による送風方向を定常送風方向ＢＤ１としたまま冷却部５０によって放電
灯９０を所定時間冷却する。このような場合、放電灯９０の消灯後において、発光部５１
０と第１電極９２および第２電極９３とのうちで、温度が水銀Ｈｇの凝縮温度以下となっ
た部分から順次水銀Ｈｇが凝縮して付着する。そのため、水銀Ｈｇが凝縮する位置が不規
則となり、図１３に示すように第１電極９２および第２電極９３に付着した水銀Ｈｇによ
って第１電極９２と第２電極９３とが接続される水銀ブリッジが生じる場合がある。また
、例えば、発光部５１０の内壁に凝縮して付着した水銀Ｈｇが移動して、第１電極９２と
第２電極９３とに付着して、水銀ブリッジが生じる場合もある。水銀ブリッジが生じた状
態においては、第１電極９２と第２電極９３との間が短絡し、放電灯９０を点灯できない
という問題があった。
【００９２】
この問題に対して、本実施形態によれば、制御部４０は、放電灯９０が消灯した場合の
冷却部５０の送風方向を発光部５１０の前後方向Ｘにおける端部のうちいずれか一方の端
部に向けて送風する消灯時送風方向とする。図９は、冷却部５０の送風方向を消灯時送風
方向ＢＤ２とした場合の放電灯９０の消灯後の状態を示す図である。例えば、図９に示す
ように、放電灯９０が消灯した場合の冷却部５０の送風方向を、消灯時送風方向ＢＤ２と
した場合、第４壁部５１０ｄが集中的に冷却される。そのため、第４壁部５１０ｄの温度
が、発光部５１０の他の部分よりも早く水銀Ｈｇの凝縮温度以下となりやすい。これによ
り、水銀Ｈｇの凝縮する位置が、放電空間９１内における第４壁部５１０ｄ側（前側，＋
Ｘ側）に集中する。したがって、第１電極９２と第２電極９３との間を繋ぐ位置に水銀Ｈ
ｇが凝縮しにくく、水銀ブリッジが生じることを抑制できる。
【００９３】
また、第４壁部５１０ｄが集中的に冷却されることで、第４壁部５１０ｄと接続される
第２電極９３の芯棒５４３も冷却され、芯棒５４３の温度が水銀Ｈｇの凝縮温度以下とな
りやすく、水銀Ｈｇが芯棒５４３にも付着する。そのため、水銀Ｈｇが凝縮した後に、放
電空間９１内を移動することを抑制できる。したがって、水銀ブリッジが生じることをよ
り抑制できる。
【００９４】
上記説明においては、放電灯９０が消灯した場合の冷却部５０の送風方向を消灯時送風
方向ＢＤ２とした場合について説明したが、放電灯９０が消灯した場合の冷却部５０の送
風方向を図８に示す消灯時送風方向ＢＤ３とした場合についても、同様に水銀ブリッジが
生じることを抑制できる。この場合、放電灯９０が消灯した後において、水銀Ｈｇの凝縮
する位置は、放電空間９１内における第３壁部５１０ｃ側（後側，−Ｘ側）に集中する。
【００９５】
また、本実施形態によれば、送風装置５１の送風方向を風向変化部５３，５４によって
変化させることができるため、１つの送風装置５１で、定常送風方向ＢＤ１と消灯時送風
方向ＢＤ２，ＢＤ３とに送風方向を切り換えることができる。したがって、冷却部５０を
構成する部品点数を低減することができる。
【００９６】
また、例えば、反射鏡１１２は、熱容量が大きく、温度が低下しにくい場合がある。こ
の場合、発光部５１０における前後方向Ｘの反射鏡１１２が取り付けられる側（第１方向
の一方側）の端部の温度、すなわち第３壁部５１０ｃの温度が、反射鏡１１２によってあ
る程度維持される。そのため、第３壁部５１０ｃの温度は、発光部５１０における前後方
向Ｘの反射鏡１１２が取り付けられる側と逆側（第１方向の他方側）の端部の温度、すな
わち第４壁部５１０ｄの温度よりも低下しにくい場合がある。言い換えれば、第４壁部５
１０ｄの温度は、第３壁部５１０ｃの温度よりも低下しやすい場合がある。
【００９７】
したがって、放電灯９０が消灯した場合の冷却部５０の送風方向（第２送風方向）が、
第４壁部５１０ｄに向けて送風する消灯時送風方向ＢＤ２である場合には、第４壁部５１
０ｄの温度を好適に低下させやすい。これにより、発光部５１０の温度を部分的に低下さ
せて、より水銀Ｈｇを特定の部位に集めて凝縮させやすい。そのため、水銀ブリッジが生
じることをより抑制できる。
【００９８】
また、本実施形態によれば、冷却部５０によって放電灯９０が定常点灯状態にある場合
に送風される発光部５１０の所定部位は、発光部５１０の鉛直方向上側の端部（第１壁部
５１０ａ）である。上述したように発光部５１０における鉛直方向上側の端部は、発光部
５１０における最熱部である。そのため、放電灯９０が定常点灯状態である場合に、発光
部５１０の鉛直方向上側の端部（第１壁部５１０ａ）に向けて送風することで、放電灯９
０を効率よく冷却することができる。
【００９９】
また、本実施形態によれば、制御部４０は、使用者が入力部４５に対して行ったプロジ
ェクター５００の電源をＯＦＦにする操作に基づいて、冷却部５０の送風方向を制御する
。そのため、放電灯９０が消灯する前に冷却部５０の送風方向を変化させる準備を行うこ
とができ、放電灯９０が消灯した場合に、好適なタイミングで冷却部５０の送風方向を変
化させることができる。
【０１００】
なお、本実施形態においては、下記のような構成および方法を採用することもできる。
【０１０１】
本実施形態において放電灯９０が消灯した場合の冷却部５０の送風方向を、第３壁部５
１０ｃに向けて送風する消灯時送風方向ＢＤ３とする場合には、例えば、図１０に示すよ
うな構成を取ることもできる。
【０１０２】
図１０は、本実施形態における他の一例である光源装置１２００を示す図である。図１
０においては、放電灯９０が消灯した場合を示している。なお、図１０においては、制御
部４０の図示を省略している。
【０１０３】
光源装置１２００は、図１０に示すように、反射鏡冷却部１５２を有する。反射鏡冷却
部１５２は、反射鏡１１２の反射面１１２ａと逆側（後側，−Ｘ側）に配置されている。
反射鏡冷却部１５２は、例えば、シロッコファンである。反射鏡冷却部１５２は、放電灯
９０が消灯した場合に反射鏡１１２を冷却する。より詳細には、反射鏡冷却部１５２は、
反射鏡１１２の反射面１１２ａと逆側の面に送風して、反射鏡１１２を冷却する。図１０
においては、反射鏡冷却部１５２は、反射鏡１１２の後側斜め上方から、前側斜め下方に
送風して反射鏡１１２を冷却する。光源装置１２００のその他の構成は、上述した光源装
置２００の構成と同様である。
【０１０４】
この構成によれば、反射鏡冷却部１５２によって反射鏡１１２を冷却することで、間接
的に冷却部５０による第３壁部５１０ｃの冷却を補助することができる。そのため、冷却
部５０によって第３壁部５１０ｃを冷却する場合、すなわち放電灯９０が消灯した場合の
冷却部５０の送風方向が消灯時送風方向ＢＤ３である場合に、水銀ブリッジが生じること
をより抑制できる。
【０１０５】
なお、本実施形態において、反射鏡冷却部１５２が配置される位置は、特に限定されな
い。反射鏡冷却部１５２は、例えば、反射鏡１１２に対し逆側（−Ｘ側）であり、かつ鉛
直方向下側（−Ｚ側）の位置や、反射鏡１１２に対し逆側（−Ｘ側）であり、かつ横方向
のいずれか一方側（＋Ｙ側，−Ｙ側）の位置に配置されてもよい。
【０１０６】
また、本実施形態において、送風装置５１は、上述したように、放電灯９０が定常点灯
状態にある場合に、発光部５１０の鉛直方向上側の端部である第１壁部５１０ａに冷却空
気を送風できる構成であれば、送風装置５１が配置される位置は、特に限定されない。例
えば、送風装置５１が、発光部５１０の鉛直方向下側（−Ｚ側）や発光部５１０の横方向
のいずれか一方側（＋Ｙ側，−Ｙ側）の位置に配置され、送風装置５１の送風ノズル５１
ａが送風装置５１の配置位置から発光部５１０の鉛直方向上側まで延出する構成としても
よく、また、別部材として、送風装置５１の送風口５１ｂに接続され、送風口５１ｂから
発光部５１０の鉛直方向上側まで延出するダクト等を設けてもよい。
【０１０７】
また、本実施形態において、冷却部５０は、風向変化部５３および風向変化部５４の両
方を有する構成としたが、これに限定されない。冷却部５０は、風向変化部５３および風
向変化部５４のうちいずれか一方を備えていればよい。これにより、冷却部５０は、発光
部５１０の前後方向Ｘにおける端部（第３壁部５１０ｃおよび第４壁部５１０ｄ）のうち
、いずれか一方の端部を冷却することができる。
【０１０８】
また、本実施形態において、制御部４０は、放電灯９０が消灯した場合に風向変化部５
３および風向変化部５４のうちいずれか一方を移動させ、送風装置５１の送風口５１ｂか
ら排出される冷却空気に一方の風向変化部を接触させることで、送風方向を変化させる構
成としたが、これに限定されない。制御部４０は、逆に、放電灯９０が定常点灯状態であ
る場合、送風装置５１の送風口５１ｂから排出される冷却空気に一方の風向変化部を接触
させて冷却空気を発光部５１０の鉛直方向上側の端部に送風させ、放電灯９０が消灯した
場合、送風装置５１からの冷却空気に接触しない位置に風向変化部を移動させ、冷却空気
を発光部５１０の前後方向Ｘにおける端部に送風させる構成としてもよい。
【０１０９】
また、本実施形態において制御部４０は、放電灯９０が消灯する度に消灯時送風方向Ｂ
Ｄ２と消灯時送風方向ＢＤ３とのうちのいずれの方向にするかを判断してもよい。この場
合、制御部４０は、例えば、発光部５１０の温度情報に基づいて送風方向を決定してもよ
い。具体的には、制御部４０は、放電灯９０が消灯した時点において、第３壁部５１０ｃ
の温度と第４壁部５１０ｄの温度とのうち温度が低い方の壁部に向けた送風方向となるよ
うに、冷却部５０の送風方向を制御してもよい。
【０１１０】
また、本実施形態において制御部４０は、入力部４５にプロジェクター５００の電源を
ＯＦＦにする操作が入力されずに放電灯９０が消灯した場合に、放電灯９０が消灯したこ
とに基づいて冷却部５０の送風方向を変化させてもよい。入力部４５にプロジェクター５
００の電源をＯＦＦにする操作が入力されずに放電灯９０が消灯した場合とは、例えば、
プロジェクター５００の電源コードが直接コンセントから抜かれたような場合である。こ
の場合、プロジェクター５００は、例えば、内部バッテリーを備えており、内部バッテリ
ーから供給される電力によって冷却部５０を動作させる。
【０１１１】
また、風向変化部の構成は、冷却部５０の送風方向を変化させられるならば、特に限定
されない。風向変化部は、例えば、鉛直方向Ｚおよび前後方向Ｘの両方と直交する軸（Ｙ
軸）周りに送風装置５１を回動させる回動装置であってもよい。回動装置によって送風装
置５１を回動させることで、送風ノズル５１ａおよび送風口５１ｂの向きを変化させるこ
とができ、送風装置５１（冷却部５０）の送風方向を変化させることができる。
【０１１２】
また、例えば、冷却部５０が、内部に冷却空気が流通する複数の流路と、各流路に備え
られ、発光部５１０の鉛直方向上側の端部および発光部５１０の前後方向Ｘにおける一方
の端部へ向けて、それぞれ冷却空気を排出する複数の送風口と、を有し、風向変化部は、
放電灯９０が消灯した場合、冷却空気の流通を、発光部５１０の鉛直方向上側の端部を冷
却する流路から、発光部５１０の前後方向Ｘにおける一方の端部を冷却する流路に切り替
える流路切替機構であってもよい。
【０１１３】
また、定常送風方向ＢＤ１は、消灯時送風方向が送風する発光部５１０の箇所と異なる
ならば、発光部５１０の第１壁部５１０ａ以外の箇所に向けて送風する方向であってもよ
い。
【０１１４】
＜第２実施形態＞
第２実施形態は、第１実施形態に対して、冷却部が第１送風装置と第２送風装置とを有
する点が異なる。なお、上記実施形態と同様の構成については、適宜同一の符号を付す等
により説明を省略する場合がある。
【０１１５】
図１１は、本実施形態の光源装置２２００を示す図である。図１１においては、放電灯
９０が消灯した場合を示している。なお、図１１においては、制御部４０の図示を省略し
ている。
【０１１６】
本実施形態の光源装置２２００は、図１１に示すように、冷却部２５０を有する。冷却
部２５０は、第１送風装置２５１と、第２送風装置２５２と、を有する。第１送風装置２
５１には、第１実施形態の送風装置５１と異なり、風向変化部５３，５４が設けられてい
ない。第１送風装置２５１のその他の構成は、送風装置５１と同様である。すなわち、第
１送風装置２５１の送風方向は、放電灯９０の点灯状態によらず、定常送風方向（第１送
風方向）ＢＤ１である。
【０１１７】
第２送風装置２５２は、発光部５１０の鉛直方向下側斜め前方に配置されている。第２
送風装置２５２は、例えば、シロッコファンである。第２送風装置２５２は、第３壁部５
１０ｃに向かって延びる筒状の送風ノズル２５２ａを有する。本実施形態において送風ノ
ズル２５２ａは、第２送風装置２５２の本体部から鉛直方向上側斜め後方に延びている。
第２送風装置２５２は、配置される位置および姿勢が異なる点を除いて、例えば、第１送
風装置２５１と同様の送風装置である。第２送風装置２５２の送風方向は、第３壁部５１
０ｃに向けて送風する消灯時送風方向（第２送風方向）ＢＤ４である。
【０１１８】
本実施形態において制御部４０は、放電灯９０が定常点灯状態にある場合、第１送風装
置２５１によって放電灯９０を冷却する。すなわち、制御部４０は、放電灯９０が定常点
灯状態にある場合、図１１に二点鎖線で示すように、冷却部２５０の送風方向を定常送風
方向ＢＤ１とする。より具体的には、第１送風装置２５１は、放電灯９０が定常点灯状態
にある場合、発光部５１０の第１壁部５１０ａに向けて冷却空気を送風する。なお、放電
灯９０が定常点灯状態にある場合、第２送風装置２５２による送風は停止されている。一
方、制御部４０は、放電灯９０が消灯した場合、第１送風装置２５１による送風を停止さ
せ、さらに、第２送風装置２５２による送風を開始させ、第２送風装置２５２によって放
電灯９０を冷却する。すなわち、制御部４０は、放電灯９０が消灯した場合、冷却部２５
０の送風方向を、消灯時送風方向ＢＤ４とする。より具体的には、第２送風装置２５２は
、放電灯９０が消灯した場合、発光部５１０の第３壁部５１０ｃに向けて冷却空気を送風
する。光源装置２２００のその他の構成は、第１実施形態の光源装置２００の構成と同様
である。
【０１１９】
本実施形態によれば、放電灯９０が消灯した場合に、第２送風装置２５２によって第３
壁部５１０ｃに向けて送風を行えるため、第３壁部５１０ｃを集中的に冷却することがで
きる。これにより、第３壁部５１０ｃの温度を低下させて、水銀Ｈｇの凝縮を集中的に生
じさせることができる。したがって、本実施形態によれば、水銀ブリッジが生じることを
抑制できる。
【０１２０】
また、本実施形態によれば、冷却部２５０が、放電灯９０が定常点灯状態にある場合に
放電灯９０を冷却する第１送風装置２５１と、放電灯９０が消灯した場合に放電灯９０を
冷却する第２送風装置２５２と、がそれぞれ設けられている。そのため、送風方向を変化
させる風向変化部を設ける必要がなく、例えば既存の送風装置のみを用いて冷却部２５０
を構成することができる。これにより、冷却部２５０の構成を簡単にできる。
【０１２１】
また、本実施形態によれば、制御部４０は、放電灯９０が消灯した場合、第１送風装置
２５１による送風を停止させ、第２送風装置２５２による送風を開始させる。そのため、
第２送風装置２５２によって第３壁部５１０ｃを好適に冷却しやすく、水銀ブリッジが生
じることをより抑制できる。また、第１送風装置２５１を停止させない場合に比べて、プ
ロジェクターの消費電力を低減できる。
【０１２２】
なお、本実施形態において第２送風装置２５２は、第４壁部５１０ｄに向けて送風する
送風装置であってもよい。
【０１２３】
また、本実施形態において、制御部４０は、放電灯９０が消灯した場合に第１送風装置
２５１による送風を停止させたが、これに限定されない。制御部４０は、放電灯９０が消
灯した場合の第１送風装置２５１による冷却空気の送風量が、放電灯９０が消灯した場合
の第２送風装置２５２による冷却空気の送風量よりも十分に小さければ、放電灯９０が消
灯した場合に第１送風装置２５１を停止させなくともよい。
【０１２４】
また、本実施形態において、上記実施形態の反射鏡冷却部１５２を採用し、制御部４０
は、放電灯９０が消灯した場合に反射鏡１１２を冷却する構成としてもよい。
【０１２５】
また、本実施形態において、第２送風装置２５２は、上述したように、放電灯９０が消
灯した場合に発光部５１０の前後方向Ｘにおける一方の端部に冷却空気を送風できる構成
であれば、第２送風装置が配置される位置は、上記実施形態における送風装置５１と同様
に、特に限定されない。
【０１２６】
＜第３実施形態＞
第３実施形態は、第１実施形態に対して、光源ユニットの配置される姿勢が異なる。な
お、上記実施形態と同様の構成については、適宜同一の符号を付す等により説明を省略す
る場合がある。
【０１２７】
図１２は、本実施形態の光源装置３２００を示す図である。図１２においては、制御部
４０の図示を省略している。図１２に示すように、本実施形態の光源装置３２００は、光
源ユニット３２１０と、冷却部３５０と、を有する。光源ユニット３２１０は、第１実施
形態の光源ユニット２１０に対して、配置される姿勢が９０°回転した状態である点が異
なる。光源ユニット３２１０の姿勢は、第１電極９２および第２電極９３が鉛直方向Ｚに
おいて互いに対向して並んで配置される姿勢である。すなわち、本実施形態において、第
１電極９２および第２電極９３が互いに対向して並ぶ第１方向は、鉛直方向Ｚである。光
源ユニット３２１０のその他の構成は、光源ユニット２１０の構成と同様である。
【０１２８】
冷却部３５０は、第１実施形態の冷却部５０に対して、配置される姿勢が９０°回転し
た状態である点が異なる。冷却部３５０の光源ユニット３２１０に対する相対的な配置お
よび姿勢は、第１実施形態の冷却部５０の光源ユニット２１０に対する相対的な配置およ
び姿勢と同様である。本実施形態において風向変化部５４によって変化させられる冷却部
３５０の送風方向は、第３壁部５１０ｃに向けて送風する定常送風方向（第１送風方向）
ＢＤ５である。本実施形態において風向変化部５３によって変化させられる冷却部３５０
の送風方向は、第４壁部５１０ｄに向けて送風する消灯時送風方向（第２送風方向）ＢＤ
６である。冷却部３５０のその他の構成は、冷却部５０の構成と同様である。
【０１２９】
本実施形態では、第３壁部５１０ｃが発光部５１０における鉛直方向上側の端部であり
、発光部５１０における最熱部である。そのため、制御部４０は、放電灯９０が定常点灯
状態にある場合、図１２の二点鎖線で示すように、冷却部３５０の送風方向を定常送風方
向ＢＤ５とし、冷却部３５０によって第３壁部５１０ｃに向けて送風する。このとき、送
風装置５１の送風方向は、風向変化部５３によって変化させられた状態である。
【０１３０】
一方、制御部４０は、放電灯９０が消灯した場合、冷却部３５０の送風方向を消灯時送
風方向ＢＤ６とし、冷却部３５０によって第４壁部５１０ｄに向けて送風する。このとき
、制御部４０は、風向変化部５３を収納しつつ、風向変化部５４を移動させて、風向変化
部５４によって、送風装置５１の送風方向を消灯時送風方向ＢＤ６に変化させる。光源装
置３２００のその他の構成は、第１実施形態の光源装置２００の構成と同様である。
【０１３１】
本実施形態によれば、放電灯９０が消灯した場合に、第４壁部５１０ｄに向けて送風を
行えるため、第４壁部５１０ｄを集中的に冷却することができる。これにより、第４壁部
５１０ｄの温度を低下させて、水銀Ｈｇの凝縮を集中的に生じさせることができる。した
がって、本実施形態によれば、水銀ブリッジが生じることを抑制できる。
【０１３２】
また、本実施形態によれば、第４壁部５１０ｄは、発光部５１０における鉛直方向下側
の端部である。そのため、凝縮した水銀Ｈｇが自重によって放電空間９１内の第４壁部５
１０ｄ側に集まりやすく、第２電極９３に付着させて絡め取りやすい。したがって、凝縮
した水銀Ｈｇが放電空間９１内で移動することをより抑制でき、水銀ブリッジが生じるこ
とをより抑制できる。
【０１３３】
なお、本実施形態においては、例えば、送風装置５１の送風方向が、風向変化部５３，
５４によって変化されない状態において定常送風方向ＢＤ５となるように、冷却部３５０
を配置してもよい。この場合、冷却部３５０には、送風装置５１の送風方向を消灯時送風
方向ＢＤ６に変化させる風向変化部のみ設けられていればよい。さらにこの場合、上記実
施形態と同様に、制御部４０は、放電灯９０が定常点灯状態である場合に、送風装置５１
からの冷却空気を風向変化部によって第３壁部５１０ｃに送風させ、放電灯９０が消灯し
た場合に、風向変化部を収納し、送風装置５１からの冷却空気を直接第４壁部５１０ｄに
送風させる構成としてもよい。
【０１３４】
なお、本発明のプロジェクターは、上述した第３実施形態の光源装置３２００が上下反
転した光源装置を備える構成であってもよい。この構成の場合、第４壁部５１０ｄが発光
部５１０における鉛直方向上側の端部となり、第３壁部５１０ｃが発光部５１０における
鉛直方向下側の端部となる。この構成において制御部４０は、放電灯９０が定常点灯状態
となる場合には、冷却部５０の送風方向を第４壁部５１０ｄに向けて送風する方向とし、
放電灯９０が消灯した場合に、冷却部５０の送風方向を第３壁部５１０ｃに向けて送風す
る方向とする。
【０１３５】
また、上述した実施形態では、定常送風方向（第１送風方向）と消灯時送風方向（第２
送風方向）とが、互いに交差する方向としたが、これに限られない。定常送風方向と消灯
時送風方向とは、互いに異なる発光部の部分に向けて送風する方向であり、かつ、消灯時
送風方向が発光部の第１方向（一対の電極が互いに対向して並ぶ方向）における端部のう
ちいずれか一方の端部に向けて送風する方向であれば、特に限定されない。定常送風方向
と消灯時送風方向とは、例えば、互いに平行で、同じ向きを向く方向であってもよい。こ
の場合、姿勢を変えずに冷却部（送風装置）の位置を移動させて送風する発光部の部位を
変化させてもよいし、２つの送風装置を同じ姿勢として水平方向にずらして配置し、各送
風装置から送風される発光部の部位を異ならせてもよい。
【０１３６】
また、本実施形態において、送風装置５１は、上述したように、放電灯９０が定常点灯
状態にある場合に発光部５１０の鉛直方向上側の端部に冷却空気を送風し、放電灯９０が
消灯した場合に発光部５１０の鉛直方向下側の端部に冷却空気を送風できる構成であれば
、送風装置５１が配置される位置は、上記実施形態における送風装置と同様に、特に限定
されない。
【０１３７】
また、上記の各実施形態において、透過型のプロジェクターに本発明を適用した場合の
例について説明したが、本発明は、反射型のプロジェクターにも適用することも可能であ
る。ここで、「透過型」とは、液晶パネル等を含む液晶ライトバルブが光を透過するタイ
プであることを意味する。「反射型」とは、液晶ライトバルブが光を反射するタイプであ
ることを意味する。なお、光変調装置は、液晶パネル等に限られず、例えばマイクロミラ
ーを用いた光変調装置であってもよい。
【０１３８】
また、上記の各実施形態において、３つの液晶パネル５６０Ｒ，５６０Ｇ，５６０Ｂ（
液晶ライトバルブ３３０Ｒ，３３０Ｇ，３３０Ｂ）を用いたプロジェクター５００の例を
挙げたが、本発明は、１つの液晶パネルのみを用いたプロジェクター、４つ以上の液晶パ
ネルを用いたプロジェクターにも適用可能である。
【０１３９】
また、上記説明した各構成は、相互に矛盾しない範囲内において、適宜組み合わせるこ
とができる。
【符号の説明】
【０１４０】
４０…制御部、５０，２５０，３５０…冷却部、５１…送風装置、５３，５４…風向変
化部、９０…放電灯、９１…放電空間、９２…第１電極（電極）、９３…第２電極（電極
）、１１２…反射鏡、１５２…反射鏡冷却部、２５１…第１送風装置、２５２…第２送風
装置、３３０Ｒ，３３０Ｇ，３３０Ｂ…液晶ライトバルブ（光変調装置）、３６０…投射
光学系、５００…プロジェクター、５１０…発光部、ＢＤ１，ＢＤ５…定常送風方向（第
１送風方向）、ＢＤ２，ＢＤ３，ＢＤ４，ＢＤ６…消灯時送風方向（第２送風方向）、Ｄ
…照射方向（所定方向）、Ｚ…鉛直方向
【図１】
2018120046.tif 000003
【図２】
2018120046.tif 000004
【図３】
2018120046.tif 000005
【図４】
2018120046.tif 000006
【図５】
2018120046.tif 000007
【図６】
2018120046.tif 000008
【図７】
2018120046.tif 000009
【図８】
2018120046.tif 000010
【図９】
2018120046.tif 000011
【図１０】
2018120046.tif 000012
【図１１】
2018120046.tif 000013
【図１２】
2018120046.tif 000014
【図１３】
2018120046.tif 000015